(57)【特許請求の範囲】
【請求項１】
壁面に、互いに平行且つ水平に設けられた壁上部受けレールと壁下部受けレールと、該壁上部受けレールと該壁下部受けレールとの中間部に設けられた照明器具と、前記壁上部受けレールと前記壁下部受けレールと該照明器具とを所望ピッチ間隔にそれぞれ位置きめする位置だし金具とを設けて構成される看板表示体受け手段と、
合成樹脂中空体パネルと、該合成樹脂中空体パネルの上部に設けられ前記壁上部受けレールに所望対応位置で該壁上部レールの長手方向において係合した後に回動することで着脱可能に嵌合されるパネル上レールと、前記合成樹脂中空体パネルの下部に設けられ前記壁下部受けレールに当接して嵌着することにより着脱可能なパネル下レールと、前記合成樹脂中空体パネルに固定され前記パネル上レールおよび前記パネル下レールとの間にそれぞれ挿入されて前記パネル上レールおよび前記パネル下レールを前記合成樹脂中空体パネルに接合する熱膨張応力緩衝台座とを備えて構成される看板表示体と、
前記合成樹脂中空体パネルの中央に対応する位置に設けられ前記壁上部受けレールに対する前記パネル上レールの回動動作を妨げるようにして前記看板表示体の離脱を防止する看板表示体離脱防止手段と、を備え、
前記パネル上レールは、枠体部と、該枠体部の壁面側を上方に延出し屈曲して形成した断面略半円弧状の半円弧状部と、該半円弧状部の屈曲端側において該壁面側へ向かって下方に傾斜させて形成した下方傾斜部と、該下方傾斜部の自由端側を上方に曲折させて形成した上方傾斜部と、該上方傾斜部の先端を膨出させて形成した膨出部とを有し、
前記壁上部受けレールは、壁面に固定される基体部と、断面略半円弧状で該基体部から前方に突出したのち上方に屈曲させて形成された連接部の上端部に形成される回動軸と、該基体部から前方へ突出させて一体に形成した支持部の前部下面側に形成してあり、該回動軸に対して上方且つ壁面側に配置される凹陥部とを有し、
看板表示体離脱防止手段は、壁面側に取り付けられる取付部と、前記パネル上レールの半円弧状部に対向し該半円弧状部に当接自在な回動防止部を有すること、
を特徴とする壁面取付照明看板装置。
【請求項２】
壁面に、互いに平行且つ水平に設けられた壁上部受けレールと壁下部受けレールと、該壁上部受けレールと該壁下部受けレールとの中間部に設けられた照明器具と、前記壁上部受けレールと前記壁下部受けレールと該照明器具とを所望ピッチ間隔にそれぞれ位置きめする位置だし金具とを備えて構成される看板表示体受け手段と、
合成樹脂中空体パネルと、該合成樹脂中空体パネルの上部に設けられ前記壁上部受けレールに所望対応位置で該壁上部レールの長手方向において係合した後に回動することで着脱可能に嵌合されるパネル上レールと、前記合成樹脂中空体パネルの下部に設けられ前記壁下部受けレールに当接して嵌着することにより着脱可能なパネル下レールと、前記合成樹脂中空体パネルに固定され前記パネル上レールおよび前記パネル下レールとの間にそれぞれ挿入されて前記パネル上レールおよび前記パネル下レールを前記合成樹脂中空体パネルに接合する熱膨張応力緩衝台座とを備えて構成される看板表示体と、
前記パネル下レールの所定個所に設けた孔部に挿入され該孔部に対して回動可能に設けられたピン部材と、
弾性部材を介して該ピン部材の所定位置に前記パネル下レール長手方向に直角に且つ回動可能に装着され前記壁下部受けレールに係合するとともに前記壁下部受けレールとの係合時以外は長手方向が前記パネル下レールの長手方向と平行になる退避位置まで回動する係合爪と、
前記パネル下レールの下方部長手方向に設けられ前記係合爪の前記壁下部受けレールとの係合時には前記壁下部受けレール長手下端に係合して前記パネル下レールの上下方向への移動を規制するアゴと、を有することを特徴とする壁面取付照明看板装置。
【発明の詳細な説明】
【０００１】
【発明の属する技術分野】
本発明は内部の照明によって看板表示を明るく浮かび上がらせるように構成した内照型の壁面取付照明看板装置に関する。
【０００２】
【従来の技術】
従来の内照型の看板装置として壁面照明看板装置がある。図２３は従来の壁面照明看板装置の斜視図である。図２３において、１００は壁面照明看板装置、１０１は看板表示体、１０２はコーナー部、１０３はエンド部である。以下、従来の壁面照明看板装置の構成、壁面看板の製作、これらの取付工事、これらの管理（メンテナンス）およびその解体について項を分けて説明する。
【０００３】
（１）従来の壁面看板の構成
＜１＞ 従来の壁面看板は金属骨材を設けた長方箱形の金属枠体によってなり、その左右両端には他の金属枠体をボルトを介して連結する骨材が設けられ、また、その上下両方向は光線漏れ防止の金属板がリベットによって固着された骨材によってなり、更に、その背面側は壁面にアンカーボルトで固定する骨材に背面板をリベットで固着されてなり、背面板の内側には複数の照明機器が金具を介してボルト締めされており、更に又、その前方は上下骨材に広告体を嵌合して取り付ける受け部材を設けたことで構成される壁面取付看板枠体であって、その自重は３０〜５０ｋｇにおよぶ重量物である。
＜２＞ 看板表示体１０１は光透過性合成樹脂面板を壁面取付看板枠体に懸架して固着する上下金属枠と合成樹脂面板の左右両断面のメクラ化粧金属枠で構成される。
＜３＞ コーナー部１０２（９０°、１３５°に曲がった部分）エンド部１０３（終端部分）に当たる看板体に関し、壁面取付金属枠体と看板表示枠体とは一対に組み上げた構成で、組み上げたものを壁面に取り付けるようにしている。
＜４＞ 壁面取付金属枠体の上方に長尺屋根材を壁に沿って設け、長尺屋根材は壁に固着し配設される。
【０００４】
（２）従来の壁面看板の製作
＜１＞ 金属材の裁断、曲げ、穿孔、溶接、ボルト螺着、リベット打ち等の金属加工と組立加工が行われる。照明機器取付と照明機器の点灯テストが行われる。
＜２＞ 看板表示体では、光透過性合成樹脂面板の金属枠体への装填組立は同時に行わなければならない。個々の部品ではさほどの重量ではないが組みあがると大きな重量物となる。
【０００５】
（３）従来の壁面看板の取付工事
＜１＞ コーナー部１０２（９０°、１３５°に曲がった部分）に当たる一組の看板体をアンカーボルトで固定することから壁面看板の取付工事が始まる。ここを基点に隣にくる壁面看板取付枠体を支えながら互いの連結骨材の通り穴位置を探りボルトを挿入し仮止めをして、位置を確認しながら壁面に対しアンカーボルトで止めてから次いで仮止めボルトを固定する。この手順を繰り返し、順次に連結して行き、全ての壁面金属枠体を配設した後に、それぞれの照明機器の連結配線作業を行い完了後に再度点灯テストを行う。
＜２＞ 屋根材を金属枠体の上方に載せ壁面にビス止めする。
＜３＞ 看板表示体を各々の壁面看板体の上方に懸架し下方で固着して工事を終了する。看板表示体は個々に対の金属枠体である。
【０００６】
（４）従来の壁面看板の管理（メンテナンス）
＜１＞ 看板体の内部清掃は表示体を開口し各々個別に行い、その都度取り出すことになる。
＜２＞ 金属の曲げ部、穿孔部、溶接部は水や塵埃の浸入で錆びが発生する。メンテナンスにこの錆び落し防錆補修が含まれる。
【０００７】
（５）従来の壁面看板の解体
＜１＞ 施工と同等の労力と時間を要する。錆びの発生が手の届かない部分で進行しており、撤去時に曲がり、変形を起こしやすく、結果として産業廃棄物として処理される。更に資源化ゴミに分別するには金属部の溶断、圧縮等が必要とされる。
【０００８】
【発明が解決しようとする課題】
しかしながら、上記した従来の壁面照明看板装置によれば、以下のような問題があった。
（１）まず、壁面看板の製作時には、金属加工時のコード破損等が生じるため、照明機器の据付と配線並びに点灯テストが欠かせないという問題があった。
（２）また、個々の部品ではさほどの重量ではないが組みあがると大きな重量物となり、必然的に男子作業員が作業を行わなければならず、女子作業員の仕事を妨げる要因となるという問題があった。
【０００９】
（３）また、壁面取付金属枠体を配設する作業は非常な重量物の連結作業であり、２名が壁面取付金属枠体を支え、１名が連結作業を行い、足場確保が困難な中での作業となる。このため労力が大変にかかり、コストがかさむことにもつながるという問題があった。
（４）また、連結時の締め込みによる歪み、水平精度見取りの困難さから初期時点での軽微なミスが壁面全体になると大きな外観品質のクズレにつながるという問題があった。
【００１０】
（５）屋根材の取付作業では、前方にせり出す看板取付枠体が作業者の前にせり出す格好となるため作業が困難であり、横への動作で金属枠エッジに作業服がひっかかることがあり、怪我等の不安材料となるという問題があった。
【００１１】
（６）また、看板表示体を各々の壁面看板体の上方に懸架し下方で固着して進める工事は個々に対の金属枠体であり、互いに摺動して寄せることが出来ないことから、互いに隙が発生した場合の修正は困難であり、先に歪みや水平精度が最後にきて現れる欠点が見られるという問題があった。
【００１２】
（７）また、看板体の内部清掃は表示体を開口し各々個別に行い、その都度取り出すことになるが、看板体の内部では各々の四隅が金属骨材で囲われる為に、内部のホコリ、虫の死骸、錆び等の清掃除去作業はやりにくいものになっており、多くの労力と時間が掛かるという問題があった。
【００１３】
（８）また、金属の曲げ部、穿孔部、溶接部は水や塵埃の浸入で錆びが発生するため、メンテナンスにこの錆び落し防錆補修が含まれるが、手の届く範囲内での補修で完全ではないという問題があった。
【００１４】
（９）更に、従来の壁面看板の解体では施工の困難さと同等の労力と時間を要する。錆びの発生が手の届かない部分で進行しており、撤去時に曲がり、変形を起こしやすく他の出店に再利用するに耐える品質の保証ができないという問題があった。結果として産業廃棄物として処理され、更に、資源化ゴミに分別するには金属部の溶断、圧縮等が必要とされるという問題があった。
【００１５】
本発明は上記課題を解決するためになされたものであって、その目的は、軽量で、取付や取り外しに要する時間と労力が少なくて済むと共に、看板面材内部の汚染などが発生する恐れがなく、また清掃等の保守作業が極めて簡単容易であると共に、模様替えや破損等にも簡単且つ経済的に対応することができる、改良された壁面取付照明看板装置を提供することにある。
【００１６】
【課題を解決するための手段】
上記目的を達成するために本発明の第１の態様に係る壁面取付照明看板装置は、壁面に、互いに平行且つ水平に設けられた壁上部受けレールと壁下部受けレールと、該壁上部受けレールと該壁下部受けレールとの中間部に設けられた照明器具と、前記壁上部受けレールと前記壁下部受けレールと該照明器具とを所望ピッチ間隔にそれぞれ位置きめする位置だし金具とを設けて構成される看板表示体受け手段と、合成樹脂中空体パネルと、該合成樹脂中空体パネルの上部に設けられ前記壁上部受けレールに所望対応位置で該壁上部レールの長手方向において係合した後に回動することで着脱可能に嵌合されるパネル上レールと、前記合成樹脂中空体パネルの下部に設けられ前記壁下部受けレールに当接して嵌着することにより着脱可能なパネル下レールと、前記合成樹脂中空体パネルに固定され前記パネル上レールおよび前記パネル下レールとの間にそれぞれ挿入されて前記パネル上レールおよび前記パネル下レールを前記合成樹脂中空体パネルに接合する熱膨張応力緩衝台座とを備えて構成される看板表示体と、前記合成樹脂中空体パネルの中央に対応する位置に設けられ前記壁上部受けレールに対する前記パネル上レールの回動動作を妨げるようにして前記看板表示体の離脱を防止する看板表示体離脱防止手段と、を備え、前記パネル上レールは、枠体部と、該枠体部の壁面側を上方に延出し屈曲して形成した断面略半円弧状の半円弧状部と、該半円弧状部の屈曲端側において該壁面側へ向かって下方に傾斜させて形成した下方傾斜部と、該下方傾斜部の自由端側を上方に曲折させて形成した上方傾斜部と、該上方傾斜部の先端を膨出させて形成した膨出部とを有し、前記壁上部受けレールは、壁面に固定される基体部と、断面略半円弧状で該基体部から前方に突出したのち上方に屈曲させて形成された連接部の上端部に形成される回動軸と、該基体部から前方へ突出させて一体に形成した支持部の前部下面側に形成してあり、該回動軸に対して上方且つ壁面側に配置される凹陥部とを有し、
看板表示体離脱防止手段は、壁面側に取り付けられる取付部と、前記パネル上レールの半円弧状部に対向し該半円弧状部に当接自在な回動防止部を有すること、を特徴とする。
【００１７】
この構成により、壁上部受けレールと壁下部受けレール及び照明器具を正しい位置に配設する位置だし金具を設け、看板表示体をユニット毎に構成し、壁上部受けレールと壁下部受けレールに着脱可能に係着固定するので、軽量で、取付や取り外しに要する時間と労力が少なくて済むと共に、看板面材内部の汚染などが発生する恐れがなく、また清掃等の保守作業が極めて簡単容易であると共に、模様替えや破損等にも簡単且つ経済的に対応することができ、さらに看板表示体を壁上部受けレール及び壁下部受けレールから簡単に離脱できないようにしたため、看板表示体の盗難防止の効果がある。
【００１８】
また、本発明の第２の態様に係る壁面取付照明看板装置は、壁面に、互いに平行且つ水平に設けられた壁上部受けレールと壁下部受けレールと、該壁上部受けレールと該壁下部受けレールとの中間部に設けられた照明器具と、前記壁上部受けレールと前記壁下部受けレールと該照明器具とを所望ピッチ間隔にそれぞれ位置きめする位置だし金具とを備えて構成される看板表示体受け手段と、合成樹脂中空体パネルと、該合成樹脂中空体パネルの上部に設けられ前記壁上部受けレールに所望対応位置で該壁上部レールの長手方向において係合した後に回動することで着脱可能に嵌合されるパネル上レールと、前記合成樹脂中空体パネルの下部に設けられ前記壁下部受けレールに当接して嵌着することにより着脱可能なパネル下レールと、前記合成樹脂中空体パネルに固定され前記パネル上レールおよび前記パネル下レールとの間にそれぞれ挿入されて前記パネル上レールおよび前記パネル下レールを前記合成樹脂中空体パネルに接合する熱膨張応力緩衝台座とを備えて構成される看板表示体と、前記パネル下レールの所定個所に設けた孔部に挿入され該孔部に対して回動可能に設けられたピン部材と、弾性部材を介して該ピン部材の所定位置に前記パネル下レール長手方向に直角に且つ回動可能に装着され前記壁下部受けレールに係合するとともに前記壁下部受けレールとの係合時以外は長手方向が前記パネル下レールの長手方向と平行になる退避位置まで回動する係合爪と、前記パネル下レールの下方部長手方向に設けられ前記係合爪の前記壁下部受けレールとの係合時には前記壁下部受けレール長手下端に係合して前記パネル下レールの上下方向への移動を規制するアゴと、を有することを特徴とする。
【００１９】
この構成により、パネル下レールの所定個所に設けた孔部にピン部材を回動可能に挿入し、且つ弾性部材を介してピン部材の所定位置に壁下部受けレールに係合する係合爪をパネル下レール長手方向に対して直角に設けて回動可能に装着し、ピン部材への押圧により係合が解除され、壁下部受けレールとの係合時以外は係合爪の長手方向がパネル下レールの長手方向と平行になる退避位置まで係合爪を回動するように構成すると共にパネル下レールの下方長手方向にアゴが設けられ壁下部受けレール長手下端に係合する構成としたので、壁下部受けレールとの係合時以外は係合爪の長手方向がパネル下レールの長手方向と平行になる退避位置に退避し運搬時などに係合爪が他と接触して破損する等の事故を防ぐことができると共に、風圧によって看板表示体が浮き上がって飛散する事故を防止することができる。
【００２０】
【発明の実施の形態】
以下、添付図面に基づき、本発明の実施の形態を説明する。
【００２１】
図１は、本発明の１実施形態による壁面取付照明看板装置の一部断面図であり、図２は、看板表示体２０の背面斜視図である。図１及び図２において、１０は看板表示体受け手段であり、この看板表示体受け手段１０は、壁面上部に水平に取り付けられる壁上部受けレール１１と、壁面下部に壁上部受けレール１１に対して平行に取り付けられる壁下部受けレール１２と、照明器具１６と、壁上部受けレール１１と壁下部受けレール１２との位置決め及び照明器具１６の位置を決定する蛍光管ホルダー受け１３３を嵌着した位置出し金具１３と、壁上部受けレール１１に嵌合して配設される長尺の屋根材１５とによって構成される。又、図２に示すように、２０は看板表示体であり、この看板表示体２０は、合成樹脂中空体パネル２３と、合成樹脂中空体パネル２３の上部に取り付けられるパネル上レール２１と、合成樹脂中空体パネル２３の下部に取り付けられるパネル下レール２２と、合成樹脂中空体パネル２３に応力緩衝弾性粘着両面テープ３７を介して固着されパネル上レール２１とパネル下レール２２との間にそれぞれ挿入されて合成樹脂中空体パネル２３とパネル上レール２１とパネル下レール２２とを接合する熱膨張応力緩衝台座２４とによって構成される。
【００２２】
合成樹脂中空体パネル２３は前方表示面部２３１と後方看板体取付面２３２と凹陥部をなす蛍光透過面２３３とによってなり、例えば、アクリル樹脂、ポリカーボネート樹脂などの、光透過性の硬質合成樹脂の成形体からなる。この合成樹脂中空体パネル２３は、この前方表示面部２３１と後方看板体取付面２３２との張り合わせなどによって得られる。後方看板体取付面２３２の中央部には長手方向と平行なランプ収容用凹陥部である蛍光透過面２３３と、中央部に照明器具の安定器を配置するための安定器配置用凹陥部２６とが設けられている。後方看板体取付面２３２の所望位置に通気口２３４が設けられ、この通気口２３４には通気シール２３５が添付されている。
【００２３】
図３（ａ）はパネル下レール２２の正面図であり、図３（ｂ）は図３（ａ）のＡ−Ａ線断面図であり、図３（ｃ）は図３（ａ）のＢ−Ｂ線断面図である。このパネル下レール２２は、前述した熱膨張応力緩衝台座２４に挿入されるものであり、その中央部には切り欠き部２２２が設けられている。この切り欠き部２２２は、合成樹脂中空体パネル２３をパネル下レール２２の中央部へ位置させる位置決め機能を果たすものである。
なお、パネル下レール２２の所定個所には、孔部２２１が設けられており、この孔部２２１に対して回動可能なピン部材２７が挿入されている。また、ピン部材２７の所定位置には、弾性部材２８を介して壁下部受けレール１２に係合する係合爪２９が回動可能にパネル下レール２２長手方向に対して直角に設けられ装着されている。この係合爪２９は、壁下部受けレール１２との係合時以外はその長手方向がパネル下レール２２の長手方向と平行になる退避位置まで回動させるように構成されている。また、パネル下レール２２の下方長手方向には、アゴ２２ｄ（後述）が設けられており、壁下部受けレール１２の長手下端に係合するように構成されている。以上の構成により、壁下部受けレール１２との係合時以外は係合爪２９の長手方向がパネル下レール２２の長手方向と平行になる退避位置に退避し、運搬時などに係合爪２９が他と接触して破損する等の事故を防ぐことができるとともに風圧による看板表示体２０の飛散事故を防止することができる。
【００２４】
図４（ａ）はパネル上レール２１の正面図であり、図４（ｂ）は図４（ａ）のＡ−Ａ線断面図である。このパネル上レール２１は、前述した熱膨張応力緩衝台座２４に挿入されるものであり、その中央部には切り欠き部２１２が設けられている。この切り欠き部２１２は、合成樹脂中空体パネル２３をパネル上レール２１の中央部へ位置させる位置決め機能を果たすものである。
【００２５】
図５（ａ）は壁上部受けレール１１の正面図であり、図５（ｂ）は壁上部受けレール１１の側面図であり、図５（ｃ）は壁下部受けレール１２の正面図であり、図５（ｄ）は壁下部受けレール１２の側面図である。この壁上部受けレール１１は、看板表示体２０を壁上部で懸架する受けレールであり、所望位置に壁面に螺着するための穴部１１１が複数個設けられている。図５（ｂ）に示すように、壁上部受けレール１１の上部には、屋根材１５の屋根材根元部１５１（後述する）の下端部を支える支え案内溝１１ｅが形成されている。また、壁上部受けレール１１の下部には、前述した位置だし金具１３の懸架部１３１（後述する）に係合する懸架アゴ部１１ｄが形成されている。また、壁下部受けレール１２は、看板表示体２０を壁下部で係合する受けレールであり、所望位置に壁面に螺着するための穴部１２１が複数個設けられている。また、図５（ｄ）に示すように、壁下部受けレール１２の上部には、前述した位置だし金具１３の係合部１３２（後述する）に係合する係合アゴ部１２ｄが形成されている。
【００２６】
図６（ａ）は屋根材根元部１５１の正面図であり、図６（ｂ）は屋根材根元部１５１の側面図であり、図６（ｃ）は屋根材ひさし部１５２の正面図であり、図６（ｄ）は屋根材ひさし部１５２の側面図である。この屋根材根元部１５１の下端部は、前述した壁上部受けレール１１の上端の支え案内溝１１ｅに係合する。なお、図６（ｃ）および（ｄ）に示す屋根材ひさし部１５２は、屋根材根元部１５１の曲面部１５１ａの先端部に係着される。この曲面部１５１ａは、下方の看板表示体２０からの光を反射する反射部材である。
【００２７】
図７は、屋根材１５の取り付けを示す説明図である。図に示すように、屋根材１５は、壁面にビスで固定されるとともに、屋根材根元部１５１の下端部は、壁上部受けレール１１の上端の支え案内溝１１ｅに嵌合されるようになっている。
【００２８】
図８は、コーナー部におけるコーナー部屋根材１７の取り付け状態を示す説明図である。このコーナー部屋根材１７は、コーナー部に長尺の屋根材をコーナーにおいて接続するものであり、このコーナー部屋根材１７は、前述した壁上部受けレール１１の支え案内溝１１ｅにコーナー部で嵌合する。
【００２９】
図９は、コーナー部における壁上部受け金具３１と壁下部受け金具３２との取付状態を示す説明図である。図に示すように、壁上部受け金具３１は、貫通孔３１２によって壁上部受けレール１１の端部溝孔１１１に螺着され、壁下部受け金具３２は、貫通孔３２２によって壁下部受けレール１２の端部溝孔１２１に螺着される。
【００３０】
図１０は、コーナー部におけるコーナー部看板表示体３５を示す側面図である。図において、３６はコーナー部合成樹脂中空体パネルであり、３７は衝撃応力緩衝弾性粘着テープであり、３３はパネル上部取付金具であり、３４はパネル下部取付金具である。パネル上部取付金具３３は、その孔部３３１で壁上部受け金具３１（図９）の螺子部３１１に挿通され螺着され、パネル下部取付金具３４は、その螺子部３４１が壁下部受け金具３２（図９）の孔部３２１に挿通され螺着される。
【００３１】
図１１は、屋根材端部の処理を示す斜視図である。図において、１５は屋根材であり、屋根材根元部１５１と屋根材ひさし部１５２とから構成され、屋根材１５の端断面は屋根エンドカバー１８によって覆われる。屋根材根元部１５１と屋根材ひさし部１５２の対応部には螺子用の穴が設けられている。
【００３２】
図１２は、壁上部受けレール１１と壁下部受けレール１２とのエンド部における処理を示す斜視図である。壁上部受けレール１１の端部には壁上部受け金具３１が螺着固定される。３１１は壁上部受け金具３１の上部に設けられた螺子部である。また、壁下部受けレール１２の端部には壁下部受け金具３２が螺着固定される。３２１は壁下部受け金具３２の下部に設けられた孔部である。
【００３３】
図１３は、エンド部看板表示体３８を示す側面図である。図において、３９はエンド部合成樹脂中空体パネルであり、３３は壁上部受け金具３１（図９）の螺子部３１１に挿通され螺着されるパネル上部取付金具であり、３４はその螺子部３４１が壁下部受け金具３２（図９）の孔部３２１に挿通され螺着されるパネル下部取付金具である。３７は衝撃応力緩衝弾性粘着テープである。なお、壁上部受け金具３１、壁下部受け金具３２、パネル上部取付金具３３、パネル下部取付金具３４は、コーナー部合成樹脂中空体パネル及びエンド部合成樹脂中空体パネルに対し共通部品となる。
【００３４】
図１４は、コーナー部におけるコーナー部看板表示体３５の取付を示す説明図である。コーナー部看板表示体３５のパネル上部取付金具３３の孔部３３１は壁上部受け金具３１の螺子部３１１に挿通され螺着され、パネル下部取付金具３４はその螺子部３４１が壁下部受け金具３２の孔部３２１に挿通され螺着される。
【００３５】
図１５は、エンド部におけるエンド部看板表示体の取付を示す説明図である。エンド部看板表示体３８のパネル上部取付金具３３の孔部３３１は壁上部受け金具３１の螺子部３１１に挿通され螺着され、パネル下部取付金具３４はその螺子部３４１が壁下部受け金具３２１の孔部に挿通され螺着される。
【００３６】
図１６は、位置だし金具１３の配置を示す説明図である。位置だし金具１３は１看板表示体当たり２本ずつ配置される。１１は壁上部受けレールであり、位置だし金具１３は壁上部受けレール１１に懸架部１３１で懸架される。１２は壁下部受けレールであり、位置だし金具１３の係合部１３２が壁下部受けレール１２に係合する。１６は照明器具であり、照明器具１６はランプ１６１、ランプホルダー１６２、安定器１６３によって構成される。照明器具１６は壁上部受けレール１１と壁下部受けレール１２との中間位置になるよう位置だし金具１３の中央部に装着される蛍光ランプホルダー受け１３３によってその位置が決定される。
【００３７】
図１７（ａ）及び図１７（ｂ）は、壁上部受けレール１１に対するパネル上レール２１の係着を示す断面図である。また、図１８（ａ）及び図１８（ｂ）は本発明の１実施形態に係る壁下部受けレール１２に対するパネル下レール２２の係着を示す断面図である。壁上部受けレール１１、壁下部受けレール１２、パネル上レール２１、パネル下レール２２は各図に示すような端断面構造を有する、例えば、長尺のアルミニウム押出型材などからなる。１１ｄは位置だし金具１３の懸架部１３１を懸架する懸架アゴ部であり、１２ｄは位置だし金具１３の係合部１３２に係合する係合アゴ部である。
ここで、壁上部受けレール１１は、壁面に固定される基体部１１ｆと、断面略半円弧状でこの基体部１１ｆから前方に突出したのち上方に屈曲させて形成された連接部１１ｃの上端部に形成される回動軸１１ｂと、この基体部１１ｆから前方へ突出させて一体に形成した支持部１１ｇの前部下面側に形成してあり回動軸１１ｂに対して上方且つ壁面側に配置される係合凹陥部１１ａとからなる。
また、パネル上レール２１は、枠体部２１ａと、この枠体部２１ａの壁面側を上方に延出し屈曲して形成した断面略半円弧状の半円弧状部２１ｂと、この半円弧状部２１ｂの屈曲端側において壁面側へ向かって下方に傾斜させて形成した下方傾斜部２１ｃ−１と、この下方傾斜部２１ｃ−１の自由端側を上方に曲折させて形成した上方傾斜部２１ｃ−２と、この上方傾斜部２１ｃ−２の先端を膨出させて形成した膨出部２１ｄとからなる。
壁上部受けレール１１及び、壁下部受けレール１２に対して、看板表示体２０を結合するには、先ず図１７（ａ）に示すように、パネル上レール２１の枠体部２１ａを斜め下方に傾けた姿勢で、下方傾斜部２１ｃ−１と上方傾斜部２１ｃ−２及び膨出部２１ｄを、壁上部受けレール１１の支持部１１ｇの前端と回動軸１１ｂ間の間隙から差し込み、壁上部受けレール１１の係合凹陥部１１ａの下側に挿入する。次いで看板表示体２０を下方へ移動し傾斜を戻した位置、即ち、図１７（ｂ）の状態にすると、壁上部受けレール１１の半円弧状部２１ｂが、枠体部２１ａの後方面に案内されて壁上部受けレール１１の回動軸１１ｂに係合し、次いで、看板表示体２０の下方を壁面側へ回動させ、膨出部２１ｄを壁上部受けレール１１の係合凹陥部１１ａに係止する。これにより、合成樹脂中空体パネル２３がパネル上レール２１を介して壁上部受けレール１１に懸架される。
【００３８】
壁上部受けレール１１にパネル上レール２１を介して合成樹脂中空体パネル２３が懸架されると、図１８（ａ）のように、パネル下レール２２の第１当接面２２ａと第２当接面２２ｃが壁下部レール１２の第１当接面１２ａと第２当接面１２ｃとにそれぞれ係合し、係合爪２９が壁下部受けレール１２の係合突起１２ｂに係合し、看板表示体２０は確実に壁上部受けレール１１と壁下部受けレール１２とに結合される。このような結合状態において、係合突起１２ｂは係合爪２９の係合凹部に係合すると共に、係合突起下端部１２ｅが係合アゴ２２ｄに係合する。従って、パネル下レール２２は壁下部受けレール１２に対して図示垂直方向並びに水平方向の移動が妨げられ、安定して固定される。
【００３９】
図１９は、パネル下レール２２の合成樹脂中空体パネルに対する位置決めに関する説明図である。図において、２２２はパネル下レール２２の所望位置に設けられた切り欠きであり、２４は熱膨張応力緩衝台座であり、３７は衝撃応力緩衝弾性両面テープである。この熱膨張応力緩衝台座２４には、位置決めピン部材２４３が孔部２４１に植設固定されており、位置決めピン部材２４３は切り欠き２２２に対して多少のクリアランスを保って係合する。また、２４２はリベット等の固着部材を挿通させる穴部であり、この穴部２４２は合成樹脂中空体パネル２３と熱膨張応力緩衝台座２４とを接合する為に使用される。合成樹脂中空体パネル２３は熱膨張応力緩衝台座２４を介してパネル下レール２２に対して多少のクリアランスを持ってその中央部に位置決めピン部材２４３によって位置決めされる。なお、パネル上レール２１と合成樹脂中空体パネル２３との位置決めも位置決めピン部材と多少のクリアランスを持った切り欠きとの関係によって決定される。
【００４０】
図２０は、屋根材１５の組み立て状態を示すための断面図である。図に示すように、屋根材１５は屋根材根元部１５１と屋根材ひさし部１５２とからなり、屋根材ひさし部１５２同士を接合するための屋根材ひさし部接合部材１５３を挿入アゴ１５４に挿入することによってひさし部間を接合して組み立てる。
【００４１】
図２１（ａ）は、看板表示体離脱防止手段５１を示す看板表示体の一部側面図である。図２１（ｂ）は、その取付状態を示す斜視図である。ここで、看板表示体離脱防止手段５１は、壁面側に取り付けられる取付部５１ａと、パネル上レール２１の半円弧状部２１ｂに対向しこの半円弧状部２１ｂに当接自在な回動防止部５１ｂを有している。図２１（ａ）及び図２１（ｂ）に示すように看板表示体離脱防止手段５１は屋根材根元部１５１の所定個所に螺着されてパネル上レール２１に係合し、パネル上レール２１の回動を妨げる。
【００４２】
次に、本発明の壁面取付照明看板装置の取付方法について詳述する。図２２は、本発明の１実施形態に係る壁面取付照明看板装置の組付方法を示すフローチャートである。ステップＳ１において、壁面に壁上部受けレール１１を取り付ける為の水平スミ出しを行う。この水平スミ出し前に下地寸法の確認と垂直確認を実施する。ステップＳ２において、コーナーを起点として壁上部受けレール１１を水平スミ出し線に沿って壁構造に適合したビスにより固定する。壁上部受けレール１１の嵌合部分に段差や隙間が出来ないように充分に注意する。この際、壁上部受けレール１１の上下の向きを間違えないようにする。
【００４３】
ステップＳ３において、位置だし金具１３を壁上部受けレール１１の所定の位置に懸架部１３１にて懸架し指定のピッチにて付属のビスで固定する。ステップＳ４において、壁下部受けレール１２を位置だし金具１３の係合部１３２に係合させ、壁上部受けレール１１と壁下部受けレール１２とのピッチをピッチゲージにて測定し所定ピッチが確保されていることを確認して壁下部受けレール１２を壁構造に適合したビスにて固定する。このとき、正確に位置だしするために必ずコーナー部からスタートする。また、壁下部受けレール１２の上下の向きを間違えないようにする。
【００４４】
ステップＳ５において、コーナー部屋根材１７を壁上部受けレール１１の上端の係合部に差し込み、壁構造に適合したビスによって固定する。次いで、直線部分の屋根材根元部１５１をコーナー部屋根材１７に連結し適合ビスによって固定する。屋根材同士の連結部はアルミテープを貼り付ける。次に、屋根材ひさし部１５２を屋根材根元部１５１に取り付け屋根材ひさし部接合部材１５３の差し込み部をビスで固定する。次に、屋根エンドカバー１８を屋根材１５の端断面に付属のビスで固定し、屋根材１５を完成させる。
【００４５】
ステップＳ６において、照明器具１６を位置だし金具１３に取り付ける。まず、ランプホルダー１６２を安定器１６３共々位置だし金具１３のホルダー取付位置に取付て、ランプ１６１をセットする。この時漏電チェックを行う。
【００４６】
ステップＳ７において、コーナー部看板表示体３５の取付を行う。まず、壁上部受け金具３１を壁上部受けレール１１の端部に螺着する。又、壁下部受け金具３２を壁下部受けレール１２の端部に螺着する。次いで、コーナー部合成樹脂中空体パネルパネル３６の上部取付金具３３を壁上部受け金具３１の螺子部に挿通し、パネル下部取付金具３４の螺子部を壁下部受け金具３２の孔部に挿通し、双方を螺着する。
【００４７】
ステップＳ８において、長尺直線部における看板表示体２０の取付を行う。合成樹脂中空体パネル２３のパネル下レール２２の所定個所に設けた壁下部受けレール１２との係着手段を機能させるためにパネル下レールの長手方向と平行になる退避位置からパネル下レール２２の長手方向と直角となる位置までピン部材２７を回動させる。なお、係着爪２９は壁下部受けレール１２との係着時以外は係着爪２９の長手方向がパネル下レール２２の長手方向と平行になる退避位置に退避させ運搬時などに係着爪２９が他と接触して破損する等の事故を防ぐ。
【００４８】
看板表示体２０を傾けて壁上部受けレール１１の所定位置で壁上部受けレール１１とパネル上レール２１との長手方向で双方を係合させ、メンテ棒（組立工具）を使い、看板表示体２０を傾けたまま、壁上部受けレール１１とパネル上レール２１との係合状態が正しい収まり具合であるか下方から確認し、確認後、メンテ棒を合成樹脂中空体パネル２３の下部よりはずし、看板表示体２０を回動させて閉じる。閉じた状態が保持されている限り、壁上部受けレール１１の長手突条とパネル上レール２１の長手突条とが係着し看板表示体２０は、壁上部受けレール１１からは取り外せない状態となる。なお、看板表示体２０の組み付けの際、看板表示体２０に固定されたパネル上レール２１及びパネル下レール２２は看板表示体受け手段１０の平行な壁上部受けレール１１と壁下部受けレール１２に沿って摺動可能な構成を採るので、コーナー部を基点として、パネル上レール２１及びパネル下レール２２共に、コーナー側に寄せ当てて、順に配置する。看板表示体２０に固定されるパネル上レール２１及びパネル下レール２２の全長は合成樹脂中空体パネル２３全長よりも長い構成を採るので、看板表示体２０の合成樹脂中空体パネル２３同士が接触することがないため、合成樹脂中空体パネル２３の変形がおこらず外観上好ましい仕上がりとなる。
【００４９】
ステップＳ９において、エンド部看板表示体３８の取付を行う。まず、壁上部受け金具３１を壁上部受けレール１１の端部に螺着する。又、壁下部受け金具３２を壁下部受けレール１２の端部に螺着する。次いで、エンド部合成樹脂中空体パネル３９の上部取付金具３３を壁上部受け金具３１の螺子部３１１に挿通し、パネル下部取付金具３４の螺子部を壁下部受け金具３２の孔部３２１に挿通し、双方を螺着する。
【００５０】
ステップＳ１０において、長尺直線部における最後の看板表示体２０の取付と全看板表示体２０の開閉チェックを行う。最後の看板表示体２０の取付はステップＳ８に従う。なお、看板表示体２０を閉じる際に、メンテ棒は外さず、もう片方の位置だし金具１３に掛けて納め、メンテナンス時に使用する。全看板表示体２０の開閉作動チェックを行う。合成樹脂中空体パネル２３のパネル下レール２２の所定個所に設けた壁下部受けレール１２との係着手段であるピン部材２７を下から押し上げて、係着手段の作用を解除し、合成樹脂中空体パネル２３を手前に開き、ピン部材２７を下から押し上げなくとも合成樹脂中空体パネル２３を軽く閉じることができるかをチェックし係着手段の機能を調べる。
【００５１】
ステップＳ１１において、看板表示体離脱防止手段の取付を行う。壁上部受けレール１１に回動可能に係合するパネル上レール２１の回動動作を妨げるようにして看板表示体の離脱を防止する看板表示体離脱防止手段５１を各合成樹脂中空体パネルの中央に対応する位置であって且つ屋根材根元部１５１の下方の所定位置に設けられ、看板表示体離脱防止手段５１は屋根材根元部１５１に固定される。
【００５２】
【発明の効果】
以上説明したように、本発明の壁面取付照明看板装置の請求項１によれば、壁上部受けレールと壁下部受けレール及び照明器具を正しい位置に配設する位置だし金具を設け、看板表示体をユニット毎に構成し、壁上部受けレールと壁下部受けレールに着脱可能に係着固定するので、軽量で、取付や取り外しに要する時間と労力が少なくて済むと共に、看板面材内部の汚染などが発生する恐れがなく、また清掃等の保守作業が極めて簡単容易であると共に、模様替えや破損等にも簡単且つ経済的に対応することができ、さらに看板表示体を壁上部受けレール及び壁下部受けレールから簡単に離脱できないようにしたため、看板表示体の盗難防止の効果がある。
【００５３】
本発明の壁面取付照明看板装置の請求項２によれば、パネル下レールの所定個所に設けた孔部に挿入するピン部材を孔部に対して回動可能に、且つ弾性部材を介してピン部材の所定位置に壁下部受けレールに係合する係合爪をパネル下レール長手方向に直角に設けて回動可能に装着し、壁下部受けレールとの係合時以外は係合爪の長手方向がパネル下レールの長手方向と平行になる退避位置まで係合爪を回動させるように構成すると共にパネル下レールの下方長手方向にアゴが設けられ壁下部受けレール長手下端に係合する構成としたので、壁下部受けレールとの係合時以外は係合爪の長手方向がパネル下レールの長手方向と平行になる退避位置に退避し運搬時などに係合爪が他と接触して破損する等の事故を防ぐことができると共に風圧による看板表示体の飛散事故を防止することができる。
【００５４】
最後に、上述の実施の形態は本発明の一例である。このため、本発明は上述の実施の形態に限定されることはなく、この実施の形態以外であっても、本発明に係る技術的思想を逸脱しない範囲であれば、種々の変更が可能であることは言うまでもない。
【図面の簡単な説明】
【図１】  本発明の一実施形態による壁面取付照明看板装置の一部断面図である。
【図２】  看板表示体の斜視図である。
【図３】  （ａ）はパネル下レールの正面図であり、（ｂ）は（ａ）のＡ−Ａ線断面図であり、（ｃ）は（ａ）のＢ−Ｂ線断面図である。
【図４】  （ａ）はパネル上レールの正面図であり、（ｂ）は（ａ）のＡ−Ａ線断面図である。
【図５】  （ａ）は壁上部受けレールの正面図であり、（ｂ）は壁上部受けレールの側面図であり、（ｃ）は壁下部受けレールの正面図であり、（ｄ）は壁下部受けレールの側面図である。
【図６】  （ａ）は屋根材根元部の正面図であり、（ｂ）は屋根材根元部の側面図であり、（ｃ）は屋根材ひさし部の正面図であり、（ｄ）は屋根材ひさし部の側面図である。
【図７】  コーナー部屋根材の取り付けを示す説明図である。
【図８】  屋根材と壁上部受けレールとの嵌合状態を示す断面図である。
【図９】  壁上部受け金具と壁下部受け金具との取付状態を示す説明図である。
【図１０】  コーナー部看板表示体を示す側面図である。
【図１１】  屋根材端部の処理を示す斜視図である。
【図１２】  壁上部受けレールと壁下部受けレールとのエンド部における処理を示す斜視図である。
【図１３】  エンド部看板表示体を示す側面図である。
【図１４】  コーナー部におけるコーナー部看板表示体の取付を示す説明図である。
【図１５】  エンド部におけるエンド部看板表示体の取付を示す説明図である。
【図１６】  位置だし金具の配置を示す説明図である。
【図１７】  （ａ）及び（ｂ）は壁上部受けレールに対するパネル上レールの係着を示す断面図である。
【図１８】  （ａ）及び（ｂ）は壁下部受けレールに対するパネル下レールの係着を示す断面図である。
【図１９】  パネル下レールに関する説明図である。
【図２０】  屋根材の組み立て状態を示すための断面図である。
【図２１】  （ａ）は看板表示体離脱防止手段を示す看板表示体の一部側面図である。（ｂ）は看板表示体離脱防止手段の取付状態を示す斜視図である。
【図２２】  壁面取付照明看板装置の取付方法を示すフローチャートである。
【図２３】  従来の壁面取付照明看板装置を示す斜視図である。
【符号の説明】
１０  看板表示体受け手段
１１  壁上部受けレール
１１ａ  係合凹陥部
１１ｂ  回動軸
１１ｃ  連接部
１１ｄ  懸架アゴ部
１１ｅ  支え案内溝
１１ｆ  基体部
１１ｇ 支持部
１１１  端部溝孔
１２  壁下部受けレール
１２ａ  第１当接面
１２ｂ  係合突起
１２ｃ  第２当接面
１２ｄ  係合アゴ部
１２ｅ  係合突起下端部
１２２  端部溝孔
１３  位置だし金具
１３１  懸架部
１３２  係合部
１３３  蛍光ランプホルダ−受け
１５  屋根材
１５１  屋根材根元部
１５１ａ  曲面部
１５２  屋根材ひさし部
１５３  屋根材ひさし部接合部材
１５４  挿入アゴ
１６  照明器具
１６１  ランプ
１６２  ランプホルダー
１６３  安定器
１７  コーナー部屋根材
１８  屋根エンドカバー
２０  看板表示体
２１  パネル上レール
２１ａ  枠体部
２１ｂ  半円弧状部
２１ｃ−１  下方傾斜部
２１ｃ−２  上方傾斜部
２１ｄ  膨出部
２１２  切り欠き部
２２  パネル下レール
２２ａ  第１当接面
２２ｃ  第２当接面
２２ｄ  係合アゴ
２２１  孔部
２２２  切り欠き部
２３  合成樹脂中空体パネル
２３１  前方表示面部
２３２  後方看板体取付面
２３３  蛍光透過面
２３４  通気口
２３５  通気シール
２４  熱膨張応力緩衝台座
２４１  孔部
２４２  穴部
２４３  位置決めピン部材
２７  ピン部材
２８  弾性部材
２９  係合爪
３１  壁上部受け金具
３１１  螺子部
３１２  貫通孔
３２  壁下部受け金具
３２１  穴部
３２２  貫通孔
３３  パネル上部取付金具
３３１  孔部
３４  パネル下部取付金具
３４１  螺子部
３５  コーナー部看板表示体
３６  コーナー部合成樹脂中空体パネル
３７  衝撃応力緩衝弾性粘着テープ
３８  エンド部看板表示体
３９  エンド部合成樹脂中空体パネル
５１  看板表示体離脱防止手段
５１ａ  取付部
５１ｂ  回動防止部
【図１】
0004209210.tif 000002
【図２】
0004209210.tif 000003
【図３】
0004209210.tif 000004
【図４】
0004209210.tif 000005
【図５】
0004209210.tif 000006
【図６】
0004209210.tif 000007
【図７】
0004209210.tif 000008
【図８】
0004209210.tif 000009
【図９】
0004209210.tif 000010
【図１０】
0004209210.tif 000011
【図１１】
0004209210.tif 000012
【図１２】
0004209210.tif 000013
【図１３】
0004209210.tif 000014
【図１４】
0004209210.tif 000015
【図１５】
0004209210.tif 000016
【図１６】
0004209210.tif 000017
【図１７】
0004209210.tif 000018
【図１８】
0004209210.tif 000019
【図１９】
0004209210.tif 000020
【図２０】
0004209210.tif 000021
【図２１】
0004209210.tif 000022
【図２２】
0004209210.tif 000023
【図２３】
0004209210.tif 000024